(57)【要約】【課題】簡単な構造で以て配線カバー内への浸水を防止する。【解決手段】ヒンジ３０Ｄは、水平な基板３１に筒形のヒンジピン３８が同基板３１を貫通して立てられている一方、配線カバー４０は、硬質樹脂材で基板３１の下方を覆う皿状に形成され、レール部４５Ｌ，４５Ｒにより落下不能に支持されつつ水平方向に押し込み装着可能となっている。配線カバー４０には、押し込み操作された際に基板３１の下面に沿って移動可能な上面板４１が張設され、上面板４１には、配線カバー４０が所定位置まで押し込まれた場合に、基板３１の係止孔３９に弾性的に嵌って抜け止めする係止突部５０と、ヒンジピン３８の下方突出端を逃がす逃がし溝４７とがそれぞれ形成されている。上面板４１の押し込み方向の先端縁４１Ａと、逃がし溝４７の溝縁とには、基板３１の下面に密着する軟質樹脂材からなるパッキン６０が一体的に設けられている。【選択図】図３
2014009881.tif 000002
【特許請求の範囲】
【請求項１】
本体に対して扉の下端側を縦軸回りの回動可能に支持したヒンジには、その下方を覆うようにして配線カバーが装着され、前記ヒンジと前記配線カバーとの間に、前記扉に配設された電気部品の扉側配線と本体側配線との接続部分を収納可能としたものにおいて、
前記ヒンジは、水平姿勢をなす基板に筒形のヒンジピンが同基板を貫通して立てられている一方、前記配線カバーは、硬質樹脂材により前記ヒンジの前記基板の下方を覆う皿状に形成され、前記ヒンジとの間に設けられたレール部により、落下不能に支持されつつ水平方向に沿った押し込み装着可能となっており、
前記配線カバーには、押し込み操作された際に前記基板の下面に沿って移動可能な上面板が張設され、この上面板には、同配線カバーが所定位置まで押し込まれた場合に、前記基板に開口された係止孔に弾性的に嵌って抜け止めする係止突部と、前記ヒンジピンの下端開口と整合する通孔とがそれぞれ形成され、
かつ、前記上面板における押し込み方向の先端縁と前記通孔の孔縁とには、前記基板の下面に密着する軟質樹脂材からなるパッキンが一体的に設けられていることを特徴とする配線カバーの装着構造。
【請求項２】
前記ヒンジピンは、その下端を前記基板の下面に突出させて設けられている一方、前記配線カバーの前記上面板には、前記ヒンジピンの下方突出端を嵌めて逃がす逃がし溝が同上面板の前記先端縁から切り込み形成されており、前記上面板の前記先端縁から前記逃がし溝の溝縁に亘って、前記基板の下面に密着するパッキンが設けられていることを特徴とする請求項１記載の配線カバーの装着構造。
【請求項３】
前記配線カバーの前記上面板における前記係止突部を挟んだ前記逃がし溝とは反対側の領域には、スリットが前記上面板の前記先端縁から切り込み形成されており、前記上面板の前記先端縁、前記逃がし溝の溝縁及び前記スリットの溝縁にわたって、前記基板の下面に密着するパッキンが連続して設けられていることを特徴とする請求項２記載の配線カバーの装着構造。
【請求項４】
前記配線カバーが硬質樹脂材で、前記パッキンが軟質樹脂材からなる二色成形により前記パッキンが前記配線カバーと一体的に形成されていることを特徴とする請求項１ないし請求項３のいずれか一項に記載の配線カバーの装着構造。
【発明の詳細な説明】
【技術分野】
【０００１】
本発明は、冷却貯蔵庫等の扉付きの機器において扉側配線と本体側配線との接続部分を保護することに用いる配線カバーの装着構造に関する。
【背景技術】
【０００２】
例えばワイドスルー形式の業務用冷蔵庫では、扉の表面に結露が生じやすいという事情のために、扉内に結露防止用のヒータを埋設する場合がある。この場合、ヒータからの配線は、扉の下面から引き出された後、下側のヒンジに設けられた円筒形のヒンジピンを通って本体内に導かれる。具体的には、扉から導出された扉側配線と、本体から導出された本体側配線とが、ぎぼし端子等の接続部材によって接続され、余った配線は束ねられて接続部材ともどもヒンジの下面側に配される。そのとき配線等が剥き出しとならないように、配線カバーを装着して覆っている。
【０００３】
従来の配線カバーの装着構造の一例としては、下記特許文献１に記載されたものが知られている。このものでは、ヒンジは、水平姿勢をなす基板に円筒形のヒンジピンが同基板を貫通して立てられている一方、配線カバーは、合成樹脂材によりヒンジピンの基板の下方を覆う皿状に形成され、ヒンジとの間に設けられたレール部により、落下不能に支持されつつ水平方向に沿った押し込み装着可能となっている。さらに配線カバーには、押し込み操作される際に基板の下面に沿って移動可能な上面板が張設され、この上面板に、基板に開口された係止孔に弾性的に嵌って抜け止めする係止突部が突設されるとともに、ヒンジピンの下方突出端を嵌めて逃がす逃がし溝が、押し込み方向の先端縁から切り込み形成された構造となっている。  
そして、配線カバーは、ヒンジピンを逃がし溝に嵌めて逃がしつつ上面板を弾性変形させて押し込まれ、所定位置に押し込まれたところで上面板が復元変形して、係止突部が基板に開口された係止孔に嵌ることで装着される。配線カバーを外す場合は、上面板を弾性変位させて係止突部を係止孔から外し、続いて配線カバーを引き抜くことで外すことができるようになっている。配線カバーが容易に着脱できることで大いに実効がある。
【先行技術文献】
【特許文献】
【０００４】
【特許文献１】特開２００７−１０１０８５号公報
【発明の概要】
【発明が解決しようとする課題】
【０００５】
ところで、この種の業務用冷蔵庫では、外部から水を掛けて洗浄することがあるが、下側のヒンジの周辺へ水が掛かった場合、配線カバーの上面板とヒンジの基板との間に浸水し、ひいては上面板の先端縁や逃がし溝を通って配線カバー内に水が浸入するおそれがあり、その対策が切望されていた。  
本発明は上記のような事情に基づいて完成されたものであって、その目的は、簡単な構造で以て配線カバー内への浸水を防止するところにある。
【課題を解決するための手段】
【０００６】
本発明の配線カバーの装着構造は、本体に対して扉の下端側を縦軸回りの回動可能に支持したヒンジには、その下方を覆うようにして配線カバーが装着され、前記ヒンジと前記配線カバーとの間に、前記扉に配設された電気部品の扉側配線と本体側配線との接続部分を収納可能としたものにおいて、前記ヒンジは、水平姿勢をなす基板に筒形のヒンジピンが同基板を貫通して立てられている一方、前記配線カバーは、硬質樹脂材により前記ヒンジの前記基板の下方を覆う皿状に形成され、前記ヒンジとの間に設けられたレール部により、落下不能に支持されつつ水平方向に沿った押し込み装着可能となっており、前記配線カバーには、押し込み操作された際に前記基板の下面に沿って移動可能な上面板が張設され、この上面板には、同配線カバーが所定位置まで押し込まれた場合に、前記基板に開口された係止孔に弾性的に嵌って抜け止めする係止突部と、前記ヒンジピンの下端開口と整合する通孔とがそれぞれ形成され、かつ、前記上面板における押し込み方向の先端縁と前記通孔の孔縁とには、前記基板の下面に密着する軟質樹脂材からなるパッキンが一体的に設けられているところに特徴を有する。
【０００７】
配線カバーは、上面板を弾性変形させて係止突部をヒンジの基板の下面を摺動させつつ押し込まれ、所定位置に達したところで上面板が復元変形して、係止突部が基板に開口された係止孔に嵌ることで取り付けられ、併せて基板の通孔がヒンジピンの下端開口と整合する。  
ヒンジの周辺に水が掛かると、配線カバーの上面板とヒンジの基板との間に浸水し、上面板の先端縁や通孔を通って配線カバー内に水が浸入しようとするが、上面板の先端縁や通孔の孔縁にはパッキンが設けられて基板の下面に密着しているから、同パッキンで阻止されて配線カバー内に浸入することが防止される。パッキンは配線カバーと一体的に設けてあるから、構造もシンプルにまとまる。
【０００８】
また、以下のような構成としてもよい。  
（１）前記ヒンジピンは、その下端を前記基板の下面に突出させて設けられている一方、前記配線カバーの前記上面板には、前記ヒンジピンの下方突出端を嵌めて逃がす逃がし溝が同上面板の前記先端縁から切り込み形成されており、前記上面板の前記先端縁から前記逃がし溝の溝縁に亘って、前記基板の下面に密着するパッキンが設けられている。  
配線カバーの上面板にヒンジピンの逃がし溝が設けられている場合に、同逃がし溝から浸水しようとするのが、パッキンによって防止される。
【０００９】
（２）前記配線カバーの前記上面板における前記係止突部を挟んだ前記逃がし溝とは反対側の領域には、スリットが前記上面板の前記先端縁から切り込み形成されており、前記上面板の前記先端縁、前記逃がし溝の溝縁及び前記スリットの溝縁にわたって、前記基板の下面に密着するパッキンが連続して設けられている。  
スリットが切られていることで上面板が弾性変形しやすくなり、ひいては配線カバーの着脱操作がより簡単となる反面、同スリットから浸水する可能性も孕むが、パッキンによってそれが防止される。
【００１０】
（３）前記配線カバーが硬質樹脂材で、前記パッキンが軟質樹脂材からなる二色成形により前記パッキンが前記配線カバーと一体的に形成されている。パッキンを二色成形で一体形成したから、より安価に対応できる。
【発明の効果】
【００１１】
本発明によれば、簡単な構造で以て配線カバー内への浸水を防止することができる。
【図面の簡単な説明】
【００１２】
【図１】本発明の一実施形態に係る冷蔵庫の正面図
【図２】下ヒンジの取付位置における側断面図
【図３】下ヒンジと配線カバーの組付前の状態の斜視図
【図４】同平面図
【図５】同側断面図
【図６】配線カバーの背面図
【図７】配線カバーの装着完了時の側断面図
【図８】同斜視図
【図９】関連技術１に係る配線カバーの平面図
【図１０】その配線カバーを下ヒンジに装着した状態の側断面図
【図１１】関連技術２に係る配線カバーの平面図
【図１２】その配線カバーを下ヒンジに装着した状態の平面図
【図１３】同底面図
【図１４】同側断面図
【図１５】関連技術３に係る配線カバーの平面図
【図１６】その配線カバーの底面図
【図１７】その配線カバーを下ヒンジに装着した状態の底面図
【図１８】関連技術４に係る下ヒンジと配線カバーの組付前の状態の斜視図
【図１９】関連技術５に係る下ヒンジと配線カバーの組付前の状態の斜視図
【発明を実施するための形態】
【００１３】
＜実施形態＞
本発明の一実施形態を図１ないし図８によって説明する。この実施形態では、４ドアでワイドスルー形式の縦型冷蔵庫に適用した場合を例示している。  
図１において、符号１０は冷蔵庫本体であって、前面が開口された縦長の断熱箱体によって形成され、底面に配された脚１１で支持されているとともに、上面には機械室１２が設けられている。冷蔵庫本体１０の内部は貯蔵室とされ、前面開口部には横向きの前面枠１３が装着されることで、上下２段の出入口が形成されている。
【００１４】
上下の各出入口には、一対ずつの断熱性の扉１５が観音開き式の開閉可能に装着されている。一対の扉１５は、それぞれ外側の縦縁の上下両端が、ヒンジ３０に設けられた縦向きのヒンジピンに嵌められて、縦軸回りの回動開閉可能に支持されている。ここで各出入口には縦向きの前面枠は設けられておらず、左右の扉１５では、閉鎖時に互いに隣接する縦縁を除いた他の３縁辺については、出入口の口縁に密着するパッキンが背面上にコ字状に装着されている一方、隣接する縦縁では、側面から突出して互いに突き合うようにしてマグネットパッキン１６が装着されていて、閉鎖時において、出入口の口縁との間、並びに両扉１５間がシールされるようになっている。両扉１５が開けられると、出入口が仕切りが無い状態で全開可能となる。
【００１５】
この種のワイドスルー形式では、縦向きの前面枠があるものと比べると、庫内外間の断熱性に劣る嫌いがあり、例えば扉１５の互いに隣接する縦縁側の表面に結露が生じやすいという事情がある。そのため、コードヒータ等からなる結露防止用のヒータ（図示せず）が、扉１５の正面板の裏面に当てられた状態で扉１５内に埋設されている。  
ここで、同ヒータと接続された配線は、例えば上段の扉１５では、その外側の縦縁の上面から引き出され、上ヒンジ３０Ｕに設けられた円筒状のヒンジピンを通って、機械室１２内に設置された電装箱（図示せず）に導かれる。
【００１６】
一方、下側の扉１５では、配線は外側の縦縁の下面から引き出された後、下ヒンジ３０Ｄに設けられた同じく円筒状のヒンジピン３８を通って冷蔵庫本体１０内に導かれ、本体１０の側壁等を通って機械室１２内に設置された電装箱に導かれる。詳細には、工場での製造時に扉１５を本体１０に組み付ける際や、扉１５の交換時の作業性を考慮し、図２に示すように、扉１５側では、ヒータに接続された扉側配線２０が扉１５の軸孔１８に導かれて、ヒンジピン３８内を通って下ヒンジ３０Ｄの下面側に導出されるとともに、本体１０側では、本体側配線２１が、底壁１０Ａに形成された挿通孔１９を通って、前面から同じく下ヒンジ３０Ｄの下面側に導出され、両配線２０，２１の端末同士が接続される（接続部２３）。  
この接続部２３は例えば、各配線２０，２１の端末に接続された雄雌のぎぼし端子同士が嵌合接続され、その外側が絶縁性のカバーで覆われた構造である。そして、余った配線２０，２１は折り畳むように束ねられて接続部２３ともども下ヒンジ３０Ｄの下面側に配され、そのときこれらが剥き出しとならないように、配線カバー４０を装着して覆うようになっている。
【００１７】
続いて、配線カバー４０を下ヒンジ３０Ｄに装着する部分の構造について、詳細に説明する。  
下ヒンジ３０Ｄは、図１における左側のものと右側のものとで左右対称に形成され、したがってそれらに取り付けられる配線カバー４０も左右対称形状のものが一対備えられる。以下には、左側の下ヒンジ３０Ｄの部分について説明する。  
下ヒンジ３０Ｄは金属製であって、図３ないし図５に示すように、水平な横長の基板３１の後縁から取付板３２が下向きに直角曲げされたＬ字状に形成されている。取付板３２には、複数のねじの挿通孔３３が横方向に間隔を開けて形成されているとともに、同取付板３２の正面視で左端寄りの位置には、図２に示すように、本体側配線２１を挿通可能な挿通溝３４が、下縁に開口して形成されている。
【００１８】
基板３１は、左端部が少し奥行寸法が長い段差状に形成されており、図４に示すように、右側縁３５Ｒは、取付板３２と直角をなすように手前側に真直に延出している一方、左側縁３５Ｌは、前端が右側に寄るように斜め姿勢で延出している。基板３１における前縁の段差部分は円弧状に膨出して形成されており、この膨出部３６には取付孔３７が開口されて、上記した円筒状をなすヒンジピン３８が、上方から圧入により嵌着されている。なお、ヒンジピン３８の下端は、基板３１の下面から若干突出している（図５参照）。  
この下ヒンジ３０Ｄは、図２に参照して示すように、取付板３２が冷蔵庫本体１０の前面開口部における左下の隅の口縁に当てられて、複数箇所をねじ止めすることによって固定され、扉１５の下面に開口された軸孔１８が、カラー２８を介してヒンジピン３８に嵌合されることによって、回動可能に支持されるようになっている。  
ここで、基板３１における右奥側の隅部には、配線カバー４０を取り付けるための円形の係止孔３９が開口されている。
【００１９】
配線カバー４０はＡＢＳ樹脂等の硬質合成樹脂製であって、基本的には、上記した下ヒンジ３０Ｄの基板３１の下方を覆うように、基板３１の形状にほぼ倣った平面形状をなす深皿状に形成されている。  
詳細には、図３ないし図６に示すように、配線カバー４０の後面側は全幅にわたって開口されている一方、上面の開口には上面板４１が張られている。上面板４１が水平姿勢で形成されている一方、底板４２は、後方に向けて緩やかな下り勾配となった傾斜姿勢に形成されている。  
底板４２の後縁は、左右の側板４３の後縁よりも所定寸法手前側に控えており、上面板４１の後縁４１Ａは、底板４２の後縁よりもさらに所定寸法手前側に控えている。底板４２の内面には、奥行方向の全長にわたる複数本の支持リブ４２Ａが、幅方向に間隔を開けて突設されている。
【００２０】
上面板４１の左右の側縁には、断面鈎状をなして前後方向に延びたレール部４５Ｌ，４５Ｒが向かい合わせの姿勢で形成されている。詳細には両レール部４５Ｌ，４５Ｒは、手前側の端縁よりも少し奥に入った位置から、左右の側板４３の後縁の位置まで延出形成されており、左右のレール部４５Ｌ，４５Ｒ内に、下ヒンジ３０Ｄの左右の側縁３５Ｌ，３５Ｒが摺動自由に嵌合されるようになっている。  
また、図３及び図４に示すように、上面板４１における正面から見た左端寄りの位置には、ヒンジピン３８の下方突出端を嵌めて逃がす逃がし溝４７が、後縁から前縁付近にわたって切り込み形成されている。逃がし溝４７の裏側の側縁には、補強用の下向きのリブ４７Ａが形成されている。
【００２１】
したがって配線カバー４０は、左右のレール部４５Ｌ，４５Ｒを下ヒンジ３０Ｄの基板３１における左右の側縁３５Ｌ，３５Ｒに嵌めることで、同レール部４５Ｌ，４５Ｒで案内されるようにして奥側に押し込まれ、そのとき上面板４１は、ヒンジピン３８の下方突出端を逃がし溝４７に嵌めて逃がしつつ、基板３１の下面の直下を移動する。図７に示すように、配線カバー４０の底板４２の後縁が、取付板３２における垂下端に当たったところで押し込みが停止され、そのとき図８に参照して示すように、配線カバー４０は下ヒンジ３０Ｄの基板３１の下方をほぼすっぽりと覆うことができるようになっている。
【００２２】
配線カバー４０の上面板４１における右奥の隅部付近の所定位置、すなわち配線カバー４０が上記のように正規位置に装着された場合における基板３１の係止孔３９の直下に対応する位置には、この係止孔３９内にほぼ緊密に嵌る円柱状をなす係止突部５０が突設されている。この係止突部５０は、図５及び図７に示すように、基板３１の厚さの半分程度の高さ寸法を有しており、またその突出端面は、同係止突部５０における押し込み方向の後側の上端位置から前側の下端位置を結ぶようにして、先下がりの傾斜状をなすガイド面５１とされている。  
また上面板４１には、図４に示すように、係止突部５０の形成位置の直ぐ右側において、スリット５３が後縁４１Ａから手前側に向けて切り込み形成されている。これにより、上面板４１における係止突部５０の形成位置付近が、撓み変形しやすくされている（易変形部５４）。
【００２３】
さて、配線カバーの上面板４１の表面には、同上面板４１の後縁４１Ａ（押し込み方向の先端縁）、逃がし溝４７の溝縁、及びスリット５３の溝縁に亘って、突条をなすパッキン６０が形成されている。言い換えるとパッキン６０は、後縁用パッキン部６０Ａ、逃がし溝４７用である第１溝用パッキン部６０Ｂ、及びスリット５３用である第２溝用パッキン部６０Ｃを連続して形成したものである。  
またパッキン６０は、シリコン樹脂等の軟質合成樹脂材を素材とし、配線カバー４０の成形時に二色成形されることによって、同配線カバー４０と一体的に形成されている。
【００２４】
続いて、本実施形態の作用を説明する。  
下ヒンジ３０Ｄは、冷蔵庫本体１０の前面開口部の口縁における左右の下側隅部において、それぞれ既述した要領で取り付けられる。このとき、図２に示すように、下ヒンジ３０Ｄの取付板３２に形成された挿通溝３４が、本体１０の底壁１０Ａに形成された挿通孔１９の前面の出口と対応する。そして本体側配線２１は、底壁１０Ａの挿通孔１９から取付板３２の挿通溝３４を通ってその前方に導出され、その端末に雌雄の一方のぎぼし端子が固着される。扉１５側では、ヒータに接続された扉側配線２０が軸孔１８を通って下面側に導出され、その端末に他方のぎぼし端子が固着される。
【００２５】
この状態から扉１５が冷蔵庫本体１０に組み付けられる。下ヒンジ３０Ｄのヒンジピン３８にはヒンジカラー２８が嵌められ、扉１５は、扉側配線２０の端末を下ヒンジ３０Ｄのヒンジピン３８内に通して下面側に垂らしつつ、その軸孔１８をヒンジカラー２８を介してヒンジピン３８に嵌めることにより回動可能に支持される。そののち、扉側配線２０の端末のぎぼし端子と、本体側配線２１の端末のぎぼし端子同士が接続されてカバーで覆われる。このように、両配線２０，２１の端末が接続されたら、その接続部２３が下ヒンジ３０Ｄの下側に配され、その下方を配線カバー４０で覆われることになる。
【００２６】
それにはまず、両配線２０，２１の端末の接続部２３並びに余った配線２０，２１が折り畳まれるようにして束ねられ、配線カバー４０の底板４２（支持リブ４２Ａ）の上に載せられる。この状態から配線カバー４０は、左右のレール部４５Ｌ，４５Ｒを下ヒンジ３０Ｄの基板３１における左右の側縁３５Ｌ，３５Ｒに合わせ、図３の矢線に示す方向に押し込まれる。配線カバー４０はレール部４５Ｌ，４５Ｒで案内されるようにして奥側に押し込まれ、押し込みの途中で、係止突部５０のガイド面５１が下ヒンジ３０Ｄの基板３１の前縁に当たるために、上面板４１の易変形部５４が下方に撓み変形して係止突部５０が基板３１の下面に潜り込み、係止突部５０が基板３１の下面に弾圧されて摺動しつつ押し込まれる。
【００２７】
押し込みが進んで、配線カバー４０の底板４２における後縁が取付板３２に当たったところで押し込みが停止され、そのとき係止突部５０が、下ヒンジ３０Ｄの基板３１の係止孔３９と対応するから、図７に示すように、易変形部５４が復元変形して係止突部５０が係止孔３９内に下方から嵌り込む。これにより配線カバー４０は、前後方向の移動不能に係止され、また、左右のレール部４５Ｌ，４５Ｒに基板３１の左右両側縁３５Ｌ，３５Ｒが嵌って、左右並びに上下の移動が規制された状態で下ヒンジ３０Ｄに対して装着される。
【００２８】
配線カバー４０が押し込まれる間、上面板４１の表面の所定位置に設けられたパッキン６０は、下ヒンジ３０Ｄの基板３１の裏面に擦られつつ押し込まれるが、パッキン６０は軟質樹脂製であって、比較的容易に弾縮するために摩擦抵抗は小さく抑えられ、結果配線カバー４０の押し込み操作はスムーズに行われる。配線カバー４０が所定位置まで押し込まれて停止すると、パッキン６０は復元弾力を伴って全長に亘って下ヒンジ３０Ｄの基板３１の下面に密着される。
【００２９】
配線カバー４０が取り付けられた状態では、図８に示すように、下ヒンジ３０Ｄの基板３１の下方をすっぽり覆った状態とされ、図２に示すように、両配線２０，２１の端末の接続部２３と、余った配線２０，２１の束ねられた部分が、配線カバー４０の底板４２に立てられた支持リブ４２Ａに載せられた状態で収納される。
【００３０】
本実施形態のような業務用の縦型冷蔵庫では、厨房等に設置した状態において、外部から水を掛けて洗浄することがあるが、下ヒンジ３０Ｄの周辺へ水が掛かった場合、配線カバー４０の上面板４１と下ヒンジ３０Ｄの基板３１との間に浸水し、ひいては上面板４１の後縁４１Ａや逃がし溝４７、スリット５３を通って配線カバー４０内に水が浸入するおそれがある。しかしながら本実施形態では、上面板４１の後縁４１Ａ、逃がし溝４７の溝縁、並びにスリット５３の溝縁に亘ってパッキン６０（６０Ａ〜６０Ｃ）が連続して形成され、同パッキン６０が下ヒンジ３０Ｄの基板３１の下面に弾縮して密着しているから、配線カバー４０の上面板４１と下ヒンジ３０Ｄの基板３１との間に水が浸入したとしても、同パッキン６０で阻止されて配線カバー４０内に浸入することが防止される。
【００３１】
メンテナンスや扉１５の交換のために扉１５を外す必要がある場合は、扉１５を開けて下ヒンジ３０Ｄにおける係止孔３９の上方が開放された状態としたのち、例えばボールペンのような解除治具（図示せず）によって、係止孔３９に嵌っている係止突部５０を押すと、上面板４１の易変形部５４が下方に強制的に撓み変形させられて係止突部５０が係止孔３９の下方に抜けるため、続いて左右の側板４３を摘む等により配線カバー４０を引き抜けば、下ヒンジ３０Ｄから外すことができる。  
配線カバー４０が外されると、扉側配線２０と本体側配線２１との接続部２３が露出状態となるから、接続を解除することによって両配線２０，２１が分離される。これにより、扉１５を下ヒンジ３０Ｄから外すことができる。
【００３２】
以上説明したように本実施形態によれば、配線カバー４０内への浸水を招く可能性のある上面板４１の後縁４１Ａ、逃がし溝４７の溝縁、並びにスリット５３の溝縁に亘って連続してパッキン６０を設けて、同パッキン６０を下ヒンジ３０Ｄの基板３１の下面に密着させた構造としたから、配線カバー４０の上面板４１と下ヒンジ３０Ｄの基板３１との間に水が浸入したとしても、同パッキン６０で阻止されて配線カバー４０内に浸入することが確実に防止される。  
パッキン６０は配線カバー４０と一体的に設けられているために、構造がシンプルにまとまり、特に二色成形で形成されていることにより、低コストで対応することができる。
【００３３】
＜関連技術＞
以下、配線カバー内に水が浸入しさらには溜まることを防ぐべく数々の関連した技術を示す。なお、上記実施形態と同一機能を有する部位、部材については、同一符号を付すことで説明を省略または簡略化し、それぞれ主に特徴的構造について説明する。  
（１）関連技術１
図９及び図１０は、関連技術１を示す。この関連技術１では、下ヒンジ３０Ｄの基板３１に形成された係止孔３９から同基板３１の下面側に浸水することを防止する手段が講じられている。  
配線カバー７０Ａの上面板４１には、スリット５３のすぐ側方において、上記した係止孔３９に係止される係止突部５０が形成されているが、同係止突部５０の形成位置から上面板４１の手前の端縁まで延びるようにして排水溝７１が凹み形成されている。同排水溝７１は、手前側に向けて緩やかな下り勾配をなすように形成されている。
【００３４】
下ヒンジ３０Ｄの基板３１の上面に降り懸かって係止孔３９から浸入した水は、図１０の矢線に示すように、排水溝７１の後端部からその傾斜に倣って前端に流下し、配線カバー７０Ａの前面を伝って外部に排水される。これにより、係止孔３９から浸入した水が配線カバー７０Ａ内まで浸水することが防がれる。
【００３５】
（２）関連技術２
図１１ないし図１４は、関連技術２を示す。  
この関連技術２の配線カバー７０Ｂでは、左右のレール部７３Ｌ，７３Ｒにおける上面部の幅を広げ、特に右側のレール部７３Ｒでスリット５３を覆っており、スリット５３からの浸水を防いでいる。  
それに加え、配線カバー７０Ｂの底板７４の後縁位置を、上面板４１の後縁位置よりも手前側に所定寸法控えて形成されている。これにより、底板７４の後縁の後方に、実質的な水切り部７５が形成されている。下ヒンジ３０Ｄの基板３１の上面に降り懸かって係止孔３９から浸入した水は、図１４の矢線に示すように、配線カバー７０Ａの上面板４１の後縁から滴下し、底板７４の後縁側の水切り部７５を通って直接に外部に排水される。同じく配線カバー７０Ｂ内に浸水することが防がれる。
【００３６】
（３）関連技術３
図１５ないし図１７は、関連技術３を示す。  
この関連技術３では、配線カバー７０Ｃの底板７７に複数の通孔７８が開口されている。詳細には、通孔７８は、支持リブ４２Ａの形成位置の間の領域ごとに図示３個ずつが形成されている。  
この関連技術３によれば、仮に配線カバー７０Ｃ内に水が浸入したとしても、通孔７８を通して外部に廃棄される。また、通孔７８を設けたことで空気の通りも良くなり、内部が乾きやすくなって、水が溜まったり、湿気が籠もることが防止される。
【００３７】
（４）関連技術４
図１８は、関連技術４を示す。この関連技術４では、下ヒンジ３０Ｄの基板３１の下面の全面に、板状のパッキン９０が貼着されている。なおパッキン９０には、ヒンジピン３８の下方突出端が嵌る嵌合孔９１と、係止孔３９と整合する逃がし孔９２が開口されている。  
配線カバー７０Ｄは、下ヒンジ３０Ｄの手前側から挿入して装着されるが、基板３１の下面に貼着されたパッキン９０は、配線カバー７０Ｄの上面の全面に亘って密着して当てられる。  
下ヒンジ３０Ｄの基板３１の係止孔３９（隣の予備の係止孔３９Ａを含む）や、同基板３１と配線カバー７０Ｄの上面板４１との前縁間の隙間から水が浸入することが防止される。
【００３８】
（５）関連技術５
図１９は、関連技術４を示す。この関連技術４では、下ヒンジ３０Ｄの基板３１の下面の全面に、ヒンジピン３８の下方突出端が嵌る嵌合孔９１が開口された板状のパッキン９０Ａが貼着されている。  
ただし、配線カバー７０Ｅは、下ヒンジ３０Ｄに対して下面側から装着されるようになっており、そのため上面板４１の左右の側縁には、レール部に代わって、前後方向に長い弾性係止片８０が形成されている。なお、上面板８１には、撓み変形し易いように比較的大きな開口部８２が形成されている。
【００３９】
配線カバー７０Ｅは、左右の弾性係止片８０を外方に向けて弾性変形させつつ、下ヒンジ３０Ｄの基板３１の下面（パッキン９０Ａ）に向けて下方から押し込まれ、配線カバー７０Ｅの上面板８１がパッキン９０Ａに押し付けられたところで、左右の弾性係止片８０が復動して基板３１の左右の側縁３５Ｌ，３５Ｒに係止し、パッキン９０Ａが上面板８１に密着した状態で配線カバー７０Ｅが装着される。パッキン９０Ａを設けたことで、配線カバー７０Ｅの上面側、ひいては配線カバー７０Ｅ内に浸水することが防止される。上記の関連技術４と比べると、パッキン９０Ａを面方向に擦ることなく配線カバー７０Ｅを装着できるから、装着作業が簡単となる。
【００４０】
＜他の実施形態＞
本発明は上記記述及び図面によって説明した実施形態に限定されるものではなく、例えば次のような実施形態も本発明の技術的範囲に含まれる。  
（１）上記実施形態では、配線カバーの上面板における係止突部付近を撓み変形しやすいようにスリットを設けた場合を例示したが、当該スリットは割愛してもよい。  
（２）ヒンジの基板に立てられるヒンジピンは、必ずしもその下端が基板の下面から突出している必要はなく、その場合は、配線カバーの上面板には、配線カバーが所定位置まで押し込まれた場合に、ヒンジピンの下端開口と整合する通孔が開口されておれば足り、そのようなものも本発明の技術的範囲に含まれる。
【００４１】
（３）パッキンは必ずしも二色成形により配線カバーと一体形成する必要はなく、パッキンを軟質樹脂により配線カバーとは別体として形成し、上面板の所定箇所に溶着等により一体的に設けるようにしてもよい。  
（４）扉側の配線は、上記実施形態に例示したヒータに限らず、庫内温度等を表示する表示灯等の他の電気部品に接続された配線であってもよい。  
（５）本発明は、上記実施形態に例示した冷蔵庫等の冷却貯蔵庫に限らず、本体に対して電気部品を備えた扉をヒンジにより回動自由に装着した機器全般に広く適用することができる。
【符号の説明】
【００４２】
１０…冷蔵庫本体（本体）
１５…扉
２０…扉側配線
２１…本体側配線
２３…接続部
３０Ｄ…下ヒンジ（ヒンジ）
３１…基板
３８…ヒンジピン
３９…係止孔
４０…配線カバー
４１…上面板
４１Ａ…（上面板４１の）後縁（押し込み方向の先端縁）
４５Ｌ，４５Ｒ…レール部
４７…逃がし溝（通孔）
５０…係止突部
５３…スリット
６０…パッキン
６０Ａ…後縁用パッキン部
６０Ｂ…第１溝用パッキン部
６０Ｃ…第２溝用パッキン部
【図１】
2014009881.tif 000003
【図２】
2014009881.tif 000004
【図３】
2014009881.tif 000005
【図４】
2014009881.tif 000006
【図５】
2014009881.tif 000007
【図６】
2014009881.tif 000008
【図７】
2014009881.tif 000009
【図８】
2014009881.tif 000010
【図９】
2014009881.tif 000011
【図１０】
2014009881.tif 000012
【図１１】
2014009881.tif 000013
【図１２】
2014009881.tif 000014
【図１３】
2014009881.tif 000015
【図１４】
2014009881.tif 000016
【図１５】
2014009881.tif 000017
【図１６】
2014009881.tif 000018
【図１７】
2014009881.tif 000019
【図１８】
2014009881.tif 000020
【図１９】
2014009881.tif 000021